(57)【要約】【課題】ローラ等の部品の寿命低下やコストアップを招くことなく、簡単な構成でドアを開口部を開放する位置に保持することができる遠心機を提供すること。【解決手段】筺体２と、該筐体２内に収納されたチャンバ３と、該チャンバ３内の回転体室４内に回転可能に収納された回転体５と、該回転体５を駆動するための駆動部７と、該駆動部７を支持するダンパ８と、レール１０に沿って移動する平板状のドア１１によって前記チャンバ３に形成された開口部３ａを開閉するスライドドア機構６を備えた遠心機１において、前記スライドドア機構６のドア１１が前記チャンバ３の開口部３ａを開放する位置にあるときに該ドア１１の移動を阻止する吸着手段（マグネット、粘着体等）１６を、前記ドア１１（又は前記筐体２の何れか一方）に設ける。【選択図】図１
2007196149.tif 000002
【特許請求の範囲】
【請求項１】
筺体と、該筐体内に収納されたチャンバと、該チャンバ内の回転体室内に回転可能に収納された回転体と、該回転体を駆動するための駆動部と、該駆動部を支持するダンパと、レールに沿って移動する平板状のドアによって前記チャンバに形成された開口部を開閉するスライドドア機構を備えた遠心機において、
前記スライドドア機構のドアが前記チャンバの開口部を開放する位置にあるときに該ドアの移動を阻止する吸着手段を、前記ドア又は前記筐体の何れか一方に設けたことを特徴とする遠心機。
【請求項２】
前記筐体又はドアを磁性体で構成するとともに、前記吸着手段をマグネットで構成したことを特徴とする請求項１記載の遠心機。
【請求項３】
前記吸着手段を粘着体で構成したことを特徴とする請求項１記載の遠心機。
【発明の詳細な説明】
【技術分野】
【０００１】
本発明は、医学、薬学、農学等の分野において試料の分離に使用される遠心機に関し、特にそのスライドドア機構に関するものである。
【背景技術】
【０００２】
遠心機は、試料を収容した回転体を回転体室で高速で回転させて試料を遠心分離するものであるが、図５〜図７に従来の遠心機とそのスライドドア機構を示す。
【０００３】
図５は従来の遠心機の縦断面図、図６は同遠心機のスライドドア機構の構成を示す平面図、図７は図６のＣ−Ｃ線断面図である。
【０００４】
図５に示す遠心機１は、その筺体２の内部にチャンバ３を備え、該チャンバ３の内部に形成された回転体室４には円錐台状の回転体５が回転可能に収容されている。そして、チャンバ３の上面には、前記回転体５を出し入れするための円孔状の開口部３ａが形成されており、この開口部３ａは、スライドドア機構６によって開閉される。尚、図示しないが、回転体５内には、試料を収容した複数の試験管が周方向に等角度ピッチで収納されている。
【０００５】
又、図５に示すように、前記チャンバ３の下面には、前記回転体５を回転駆動するための駆動部７が複数個のダンパ８を介して固定されており、この駆動部７から垂直上方へ立ち上がる駆動軸９は、前記チャンバ３の底部中央を貫通して前記回転体室４内に臨み、その上端には前記回転体５が着脱可能に取り付けられている。尚、前記ダンパ８は、駆動部７の振動を吸収するためのものであって、その材質にはゴム等の弾性体が使用されている。
【０００６】
ところで、前記スライドドア機構６は、図６に示すように、チャンバ３の前記開口部３ａの両側に互いに平行に敷設されたレール１０と、開口部３ａを開閉するための平板状のドア１１等で構成されている。ここで、図７に示すように、チャンバ３の上面の開口部３ａの周縁にはパッキン１２が設けられており、各レール１０には各２つの溝１０ａが形成されている。又、ドア１１の上面には把手１３が垂直に立設されている。
【０００７】
そして、前記ドア１１の両側面にはローラ１４が各２個ずつ回転可能に取り付けられており、ドア１１は、４個のローラ１４によって支持され、レール１０に沿って移動してチャンバ３の開口部３ａを開閉する。即ち、ローラ１４がレール１０の上面を走行することによってドア１１がレール１０に沿って図５及び図６の矢印ａ方向（左方）に移動し、該ドア１１がチャンバ３の開口部３ａを閉鎖するときには、全てのローラ１４がレール１０の溝１０ａに落ちるため、ドア１１の底面はパッキン１２と密着し、開口部３ａがドア１１によって気密に閉鎖されて回転体室４が密封される（特許文献１参照）。
【０００８】
次に、把手１３を操作してドア１１をレール１０に沿って図５及び図６の矢印ｂ方向（右方）に移動させれば、チャンバ３の開口部３ａが開けられ、この開口部３ａから回転体５を出し入れすることができる。
【特許文献１】実開昭５０−１２５８５８号公報
【発明の開示】
【発明が解決しようとする課題】
【０００９】
図５に示すように駆動部７を複数のダンパ８を介してチャンバ３に取り付けた遠心機１においては、弾性体であるダンパ８には硬さにばらつきがあるため、駆動部７を取り付けた際のダンパ８の伸び量がそれぞれ異なり、駆動部７が斜めに傾いた状態となる。駆動部７が斜めに傾いた状態では、回転体５のバランスに不釣合いが生じるため、該回転体５を高速で回転させると、駆動部７に異常振動が発生し、駆動軸９を支持する不図示の軸受の寿命低下を招く等の問題が発生する。このため、駆動部７を水平にして駆動軸９の軸心を鉛直に保つために、筐体２の下部には複数のレベリングボルト１５が設けられており、このレベリングボルト１５を回して筐体２全体を傾けて駆動部７を水平に調整するようにしている。
【００１０】
ところで、複数個のダンパ８の伸び量が大きくばらつく場合、駆動部７を前述のようにレベリングボルト１５によって水平調整すると、駆動部７の傾きの修正に伴って筐体２とチャンバ３及びスライドドア機構６のレール１０が傾く。そして、レール１０の傾き方向がチャンバ３の開口部３ａを閉鎖する方向と一致し、且つ、ドア１１が自重により自走するほどレール１０の傾き角度が大きい場合には、ドア１１は開口部３ａを開放した状態で維持できず、ドア１１が自重によってレール１０上を移動して開口部３ａを閉鎖してしまうため、開口部３ａからの回転体５の出し入れが容易でなく、操作性が害されるという問題があった。
【００１１】
そこで、特許文献１には、ドアがレールに沿って移動して開口部を開放する位置に達すると、該ドアを支持するローラが落ち込む溝をレールに形成し、この溝にローラが落ち込むことによってドアの移動を阻止して開口部を開放した状態に維持する構成が開示されている。
【００１２】
ところが、上記構成では、溝にローラが落ち込む際にローラ及びこれを支持する軸受に衝撃が加わり、それらの耐久性の低下を招くという問題がある。
【００１３】
又、他の方法として、使用する各ダンパの硬さを予め把握し、レールの傾き方向が回転体の開口部を閉鎖する方向と一致しないようにダンパを配置する方法が知られているが、この方法では、ダンパの硬さの把握やダンパの選別に手間が掛かり、コスト高になるという問題がある。
【００１４】
本発明は上記問題に鑑みてなされたもので、その目的とする処は、ローラ等の部品の寿命低下やコストアップを招くことなく、簡単な構成でドアを開口部を開放する位置に保持することができる遠心機を提供することにある。
【課題を解決するための手段】
【００１５】
上記目的を達成するため、請求項１記載の発明は、筺体と、該筐体内に収納されたチャンバと、該チャンバ内の回転体室内に回転可能に収納された回転体と、該回転体を駆動するための駆動部と、該駆動部を支持するダンパと、レールに沿って移動する平板状のドアによって前記チャンバに形成された開口部を開閉するスライドドア機構を備えた遠心機において、前記スライドドア機構のドアが前記チャンバの開口部を開放する位置にあるときに該ドアの移動を阻止する吸着手段を、前記ドア又は前記筐体の何れか一方に設けたことを特徴とする。
【００１６】
請求項２記載の発明において、請求項１記載の発明において、前記筐体又はドアを磁性体で構成するとともに、前記吸着手段をマグネットで構成したことを特徴とする。
【００１７】
請求項３記載の発明において、請求項１記載の発明において、前記吸着手段を粘着体で構成したことを特徴とする。
【発明の効果】
【００１８】
本発明によれば、マグネットや粘着体等の吸着手段をドア又は筐体の何れか一方に取り付けるだけの簡単な構成でドアが開口部を開放する位置に保持されてその移動が阻止されるため、スライドドア機構のレールの傾き方向がチャンバの開口部を閉鎖する方向と一致し、且つ、ドアが自重により自走するほどレールの傾き角度が大きい場合であっても、ドアが自重によってレール上を移動して開口部を閉鎖することがなく、開口部からの回転体の出し入れを操作性良く容易に行うことができる。
【００１９】
又、本発明によれば、従来の方法のようにダンパの硬さの把握やダンパの選別が不要となり、コストアップを招くことなく前記効果を得ることができる。
【００２０】
更に、本発明によれば、従来のようにローラがレールの溝に落ち込むことによってドアの移動を阻止する構成を採用していないため、ローラ及びこれを支持する軸受に衝撃が加わることがなく、ローラ等の部品の耐久性が低下することがない。
【発明を実施するための最良の形態】
【００２１】
以下に本発明の実施の形態を添付図面に基づいて説明する。
【００２２】
図１は本発明に係る遠心機の縦断面図、図２は図１のＡ−Ａ線断面図、図３は図２のＢ−Ｂ線断面図、図４は他の実施の形態を示す図１のＡ−Ａ線断面図であり、これらの図においては図５〜図７に示したものと要素には同一符号を付している。
【００２３】
図１に示す遠心機１は、鉄等の磁性体から成る筺体２の内部にチャンバ３を備え、該チャンバ３の内部に形成された回転体室４には円錐台状の回転体５が回転可能に収容されている。そして、チャンバ３の上面には、前記回転体５を出し入れするための円孔状の開口部３ａが形成されており、この開口部３ａは、スライドドア機構６によって開閉される。尚、図示しないが、回転体５内には、試料を収容した複数の試験管が周方向に等角度ピッチで収納されている。
【００２４】
又、前記チャンバ３の下面には、前記回転体５を回転駆動するための駆動部７が複数個のダンパ８を介して固定されており、この駆動部７から垂直上方へ立ち上がる駆動軸９は、前記チャンバ３の底部中央を貫通して前記回転体室４内に臨み、その上端には前記回転体５が着脱可能に取り付けられている。尚、前記ダンパ８は、駆動部７の振動を吸収するためのものであって、その材質にはゴム等の弾性体が使用されている。
【００２５】
ところで、前記スライドドア機構６は、図２に示すように、チャンバ３の前記開口部３ａの両側に互いに平行に敷設されたレール１０と、開口部３ａを開閉するための平板状のドア１１等で構成されている。尚、図３に示すように、チャンバ３の上面の開口部３ａの周縁にはパッキン１２が設けられている。又、図２に示すように、各レール１０には各２つの溝１０ａがそれぞれ形成されている。
【００２６】
ここで、ドア１１は鉄等の磁性体から成り、その上面には把手１３が垂直に立設されている。そして、前記ドア１１の両側面にはローラ１４が各２個ずつ回転可能に取り付けられており、ドア１１は、４個のローラ１４によって支持され、レール１０に沿って移動してチャンバ３の開口部３ａを開閉する。即ち、ローラ１４がレール１０の上面を走行することによってドア１１がレール１０に沿って図１及び図２の矢印ａ方向（左方）に移動し、該ドア１１がチャンバ３の開口部３ａを閉鎖するときには、全てのローラ１４がレール１０の溝１０ａに落ちるため、ドア１１の底面は図３に示すパッキン１２と密着し、チャンバ３の開口部３ａがドア１１によって気密に閉鎖されて回転体室４が密封される。
【００２７】
上述のようにチャンバ３の開口部３ａがドア１１によって閉鎖されて回転体室４が密封された状態で、駆動部７によって回転体５が回転体室４内で高速で回転駆動されると、該回転体５内に収納された不図示の試験管内の試料が遠心分離される。
【００２８】
次に、把手１３を操作してドア１１をレール１０に沿って図１及び図２の矢印ｂ方向（右方）に移動させれば、チャンバ３の開口部３ａが開けられ、この開口部３ａから回転体５を出し入れすることができる。
【００２９】
而して、本実施の形態では、ドア１１の一端面（図１及び図２の右端面）には幅方向に長いマグネット１６が取り付けられている。
【００３０】
ところで、筐体２には駆動部７を水平に調整するための複数のレベリングボルト１５が設けられている。これらのレベリングボルト１５は、ダンパ８の伸び量のばらつきにより傾いた駆動部７を水平にするためのものであって、これを回すことによって筐体２全体を水平な床面ＦＬに対して傾け、駆動部７の駆動軸９の軸心Ｏが鉛直になるようにする。
【００３１】
而して、上述のように駆動部７の傾きの修正に伴って筐体２が水平な床面ＦＬに対して図１に示す角度αだけ傾くと、スライドドア機構６のレール１０も水平面に対して同角度αだけ傾くが、レール１０の傾き方向が図１に示すようにチャンバ３の開口部３ａを閉鎖する方向と一致し、且つ、ドア１１が自重により自走するほどレール１０の傾き角度αが大きい場合には、ドア１１を開口部３ａを開放した状態に維持できない。このため、ドア１１が自重によってレール１０上を図１及び図２の矢印ａ方向（左方）移動してチャンバ３の開口部３ａを閉鎖してしまうため、開口部３ａからの回転体５の出し入れが容易でなく、操作性が害されてしまう。
【００３２】
然るに、本実施の形態では、前述のようにドア１１の一端面（図１及び図２の右端面）にマグネット１６を取り付けたため、図１に示すように、ドア１１がレール１０上を図１の右端に移動してチャンバ３の開口部３ａが開放されている状態では、該ドア１１に取り付けられたマグネット１６が磁性体製の筐体２を吸着するため、ドア１１がチャンバ３の開口部３ａを開放する位置に保持される。このため、図１に示すようにレール１０の傾き方向がチャンバ３の開口部３ａを閉鎖する方向と一致し、且つ、ドア１１が自重により自走するほどレール１０の傾き角度αが大きい場合であっても、ドア１１が自重によってレール１０上を図１及び図２の矢印ａ方向に移動してチャンバ３の開口部３ａを閉鎖することがなく、該開口部３ａからの回転体５の出し入れを操作性良く容易に行うことができる。
【００３３】
以上のように、本実施の形態では、ドア１１にマグネット１６を取り付けるだけの簡単な構成でドア１１がチャンバ３の開口部３ａを開放する位置に保持されてその移動が阻止されるため、従来の方法のようにダンパ８の硬さの把握やダンパ８の選別が不要となり、コストアップを招くことなく前記効果を得ることができる。
【００３４】
又、本実施の形態では、従来のようにローラ１４がレール１０の溝に落ち込むことによってドア１１の移動を阻止する構成を採用していないため、ローラ１４及びこれを支持する軸受に衝撃が加わることがなく、これらの耐久性が低下することがない。
【００３５】
尚、本実施の形態では、マグネット１６をドア１１側に取り付けたが、図４に示すように筐体２側にマグネット１６を取り付けても、前記と同様の効果が得られる。
【００３６】
又、本実施の形態では、ドア１１の移動を阻止するための吸着手段としてマグネット１６を使用したが、このマグネット１６に代えて粘着体をドア１１又は筐体２の何れか一方或は双方に設けても前記と同様の作用効果を得ることができる。ここで、粘着体としては、マジックテープ（登録商標）や粘着テープ等を用いることができる。
【図面の簡単な説明】
【００３７】
【図１】本発明に係る遠心機の縦断面図である。
【図２】図１のＡ−Ａ線断面図である。
【図３】図２のＢ−Ｂ線断面図である。
【図４】本発明の他の実施の形態を示す図１のＡ−Ａ線断面図である。
【図５】従来の遠心機の縦断面図である。
【図６】従来の遠心機のスライドドア機構の構成を示す平面図である。
【図７】図６のＣ−Ｃ線断面図である。
【符号の説明】
【００３８】
１      遠心機
２      筐体
３      チャンバ
３ａ    開口部
４      回転体室
５      回転体
６      スライドドア機構
７      駆動部
８      ダンパ
９      駆動軸
１０    レール
１０ａ  溝
１１    ドア
１２    パッキン
１３    把手
１４    ローラ
１５    レベリングボルト
１６    マグネット（吸着手段）
【図１】
2007196149.tif 000003
【図２】
2007196149.tif 000004
【図３】
2007196149.tif 000005
【図４】
2007196149.tif 000006
【図５】
2007196149.tif 000007
【図６】
2007196149.tif 000008
【図７】
2007196149.tif 000009